(57)【要約】【課題】  電装品箱の底部に、同底部との間に所定の隙間をもたせた電気部品用の固定部材を設け、同固定部材に電気部品が固定されるようにすることで、空気調和機の室外機が例えば台風のような強い風雨に曝された場合であっても、内部に水分が侵入しないようにした電装品箱を提供する。【解決手段】  空気調和機の室外機に使用される電装品箱１６であって、前記電装品箱１６の底部に、同底部との間に所定の隙間をもたせた電気部品用の固定部材２２を設け、同固定部材２２に電気部品２１が固定されるようにした。【選択図】  図３
2007322046.tif 000002
【特許請求の範囲】
【請求項１】
空気調和機の室外機に使用される電装品箱であって、
前記電装品箱の底部に、同底部との間に所定の隙間をもたせた電気部品用の固定部材を設け、同固定部材に電気部品が固定されてなることを特徴とする電装品箱。
【請求項２】
筐体内部を上下に仕切る仕切板により、その上部に吹出口を上面に、吸込口を前面に夫々備え、且つ熱交換器を内部に備えた熱交換器室が形成され、下部に圧縮機を備えた圧縮機室が形成されてなる空気調和機の室外機に使用され、前記吸込口に少なくとも一部を臨ませて前記筐体内部の一側に固定される電装品箱であって、
前記電装品箱の底部に、同底部との間に所定の隙間をもたせた電気部品用の固定部材を設け、同固定部材に電気部品が固定されてなることを特徴とする電装品箱。
【発明の詳細な説明】
【技術分野】
【０００１】
本発明は、空気調和機の室外機に使用される電装品箱に係わり、より詳細には、電装品箱の底部に、同底部との間に所定の隙間をもたせた電気部品用の固定部材を設け、同固定部材に電気部品が固定されるようにした構造に関する。
【背景技術】
【０００２】
従来の空気調和機の室外機に使用される電装品箱としては、水分の基板への滴下を防止でき、しかも電装部品（発熱部品）を冷却するための空気通路の確保が可能なものとして、電装品が装着された基板を収納する箱本体を備え、箱本体の上方開口部を、内外カバーからなる２重構造のカバー部材にて覆うようにし、内カバーは透明プラスチックからなり、カバー部材に箱本体内部の電装品を冷却するための空気通路を設け、空気侵入口からの空気を空気通路に流入させるようにした構成が開示されていた（例えば、特許文献１参照。）。
【０００３】
上述した構成のものにおいては、電装品箱は室外機ケーシング内に配置され、各種の電装品が実装される基板（プリント基板）が収納されており、この基板（プリント基板）側に液体微粒子（ミスト）が侵入しにくい構成になっているが、基板（プリント基板）が電装品箱内にどのように取り付けられているかについては記載がない。
【０００４】
この取付状態については、例えば図４（Ａ）〜図４（Ｃ）に示すように板金からなる電装品箱１６に固定用ネジ孔２４を穿設して、この固定用ネジ孔２４によって電気部品２１や上述した基板（プリント基板）がネジ締め固定されるようにした構成が一般的であり、この場合に、固定用ネジ孔２４に軟プラスチック系のシール材を貼付することによって浸水を防止できるようにしている。
【０００５】
しかしながら、貼付されたシール材が劣化するのに伴って浸水防止の役目を果たさなくなってしまうため、室外機が屋外に設置されることで、例えば台風のような強い風雨に曝されているような場合には、上述した固定用ネジ孔２４から前記電装品箱１６内に水分がしみ入ってしまうおそれがあった。
【特許文献１】特開２００４−１１６９７５号公報
【発明の開示】
【発明が解決しようとする課題】
【０００６】
そこで、本発明は上述した課題を解決するためになされたものであって、その目的は、電装品箱の底部に、同底部との間に所定の隙間をもたせた電気部品用の固定部材を設け、同固定部材に電気部品が固定されるようにすることで、空気調和機の室外機が例えば台風のような強い風雨に曝された場合であっても、内部に水分が侵入しないようにした電装品箱を提供することにある。
【課題を解決するための手段】
【０００７】
上述した目的を達成するため、本発明は以下に示す特徴を備えている。
【０００８】
空気調和機の室外機に使用される電装品箱であって、
前記電装品箱の底部に、同底部との間に所定の隙間をもたせた電気部品用の固定部材を設け、同固定部材に電気部品が固定されてなることを特徴としている。
【０００９】
筐体内部を上下に仕切る仕切板により、その上部に吹出口を上面に、吸込口を前面に夫々備え、且つ熱交換器を内部に備えた熱交換器室が形成され、下部に圧縮機を備えた圧縮機室が形成されてなる空気調和機の室外機に使用され、前記吸込口に少なくとも一部を臨ませて前記筐体内部の一側に固定される電装品箱であって、
前記電装品箱の底部に、同底部との間に所定の隙間をもたせた電気部品用の固定部材を設け、同固定部材に電気部品が固定されてなることを特徴としている。
【発明の効果】
【００１０】
本発明によれば、電気部品が固定部材に固定されるとともに、電装品箱の底部に、同底部との間に所定の隙間をもたせた電気部品用の固定部材を設け、同固定部材に電気部品がネジ締めにより固定されるようにすることで、電装品箱の底部に取付孔（ネジ孔）を穿設しない構成となり、屋外に設置される空気調和機の室外機が例えば台風のような強い風雨に曝された場合であっても、内部に水分が侵入してしまうおそれがないようにした電装品箱となる。
【発明を実施するための最良の形態】
【００１１】
以下、本発明の実施の形態を、添付図面に基づいて詳細に説明する。
【００１２】
図１は空気調和機の室外機の概略構成を示したもので、図において、１は筐体である。この筐体１は格子状に形成されたフロントガード２と、左右一対のフロントパネル３と、側板４と、底板５と、上部にファンガード６を備えた左右一対の天板７と、これらの取付を可能にした枠体８等で構成され、前記筐体１内には、上部に図示されていない二つの送風機があり、その下部空間には、下部を後方に位置させ上部を前方に傾斜させた熱交換器９があり、また、その後方には第二の熱交換器１０が立設されている。
【００１３】
前記熱交換器９の前方には筐体１の内部を上下に仕切る仕切板１１が設けられ、その上部に熱交換器室１２、下部に圧縮機室１３が夫々形成され、同圧縮機室１３には複数の圧縮機（回転数が一定の圧縮機１４と、回転数の制御が可能な圧縮機１５）と、その他図示されてない機器が配設されている。前記筐体１の内部一側には電装品を収めた電装品箱１６が設けられている。また、前記電装品箱１６そのものは前記筐体１の前面からの着脱ができるように別途用意された複数のネジ１８で固定されている。１９は前記電装品箱１６の低部より突出しているヒートシンクである。
【００１４】
図２は前記電装品箱１６を前記筐体１の内部一側から一旦取り外して、前記仕切板１１上に横たえ設置した状態を示す要部斜視図である。
【００１５】
前記電装品箱１６を前記仕切板１１上に横たえ設置することで、複数のネジ１７を全部取り外すことによりネジ締め固定されている蓋体１６ａを外して、前記筐体１の前方から内部のサービス点検を容易に行なえるようになっている。
【００１６】
前記電装品箱１６は、図２と、同電装品箱１６の内部を正面から視た図３（Ａ）および側面から視た図３（Ｂ）とに示すように、同電装品箱１６と２重構造になるように内部に固定部材２２が設けられて、同固定部材２２の固定面２３に取付孔として穿設された固定用ネジ孔２４にネジ１７を螺着して、電気部品２１をネジ締め固定するように構成されている。
【００１７】
電気部品用の前記固定部材２２は、前記電装品箱１６の底部に、同底部との間に所定の隙間をもたせるためのスペーサを介在させて、スポット溶接されるなどによって設置されるようにした構成にすればよい。
【００１８】
または、前記固定部材２２は、前記電装品箱１６の底部から平行状態に少許離間させた対向面であって、前記電気部品２１をネジ締め固定する前記固定面２３と、同固定面２３の両側を垂直状に折曲した折曲面２５とで断面略コ字状に形成されるとともに、同折曲面２５の先端部に、前記電装品箱１６の側面先端部と接合するフランジ２６が折曲形成された構成にしてもよい。
【００１９】
前記固定面２３に、前記折曲面２５および前記フランジ２６を折曲形成した場合について、図３（Ａ）および図３（Ｂ）に基づいて、前記固定部材２２の構成を更に詳細に説明する。
【００２０】
前記固定部材２２は、図３（Ａ）に示すハッチング部のように、前記電装品箱１６の内部に取り付けられて、上述したとおり、前記フランジ２６が前記電装品箱１６の側面先端部に接合している。
【００２１】
前記電装品箱１６の側面先端部には、固定孔を有する前記蓋体１６ａをネジ締め固定するための複数のネジ孔が穿設され、前記フランジ２６には、前記固定孔および前記ネジ孔に対応する挿通孔が穿設されており、前記蓋体１６ａは、前記固定孔および前記挿通孔を通した前記ネジ１７を前記ネジ孔に螺着することによって固定される。
【００２２】
これにより、前記フランジ２６は前記蓋体１６ａと前記電装品箱１６の両側面先端部との間に挟まれて、図２に示すネジ１７により前記蓋体１６ａといっしょにネジ締め固定されることによって該箇所が密閉されるようになる。
【００２３】
次に、前記電装品箱１６内に設けられた前記固定部材２２に、前記電気部品２１が取り付けられる時の取付状態について以下に説明する。
【００２４】
前記固定部材２２の固定面２３に取付孔として穿設された前記固定用ネジ孔２４により、上述したとおり前記電気部品２１がネジ締め固定された構成になっており、また、前記固定面２３とこれに対向する前記電装品箱１６の底部とは、図３（Ｂ）に示すように所定の隙間を有した２重構造になっており、前記電気部品２１を固定した前記固定部材２２は前記電装品箱１６の底部に取付孔を設けることなくその内部に設置されるようになっている。
【００２５】
これによって、図４（Ａ）〜図４（Ｃ）に基づいた背景技術として上述したように、室外機が屋外に設置されることで、例えば台風のような強い風雨に曝されているような場合であっても、本発明においては、前記電装品箱１６に上述したような固定用ネジ孔２４（取付孔）が穿設されていないので、必然的に上述したようなシール材が劣化するということもなくなり、図３（Ｂ）に示すように、前記電装品箱１６内に水分が侵入できないようにした構成になる。
【００２６】
また、前記固定用ネジ孔２４に前記ネジ１７を螺着した後、該箇所に軟プラスチック系のシール材を貼付するといった必要性がなくなるので、こうした作業を簡略化できることになる。
【図面の簡単な説明】
【００２７】
【図１】本発明の実施の形態を示す空気調和機の室外機の斜視図である。
【図２】本発明による空気調和機の室外機に用いられる電装品箱を取り外した状態を示す要部斜視図である。
【図３】本発明による空気調和機の室外機に用いられる電装品箱の説明図で、（Ａ）は箱本体に固定部を設けて内部を２重構造化した状態を示す正面図であり、（Ｂ）は内部を２重構造化した状態を示す側面図である。
【図４】従来例による空気調和機の室外機に用いられる電装品箱の説明図で、（Ａ）は箱本体内に電気部品を取り付けた状態を示す正面図であり、（Ｂ）は電気部品を取り外した状態を示す正面図であり、（Ｃ）は箱本体内に電気部品を取り付けた状態を示す側面図である。
【符号の説明】
【００２８】
１  筐体
２  フロントガード
３  フロントパネル
４  側板
５  底板
６  ファンガード
７  天板
８  枠体
９  熱交換器
１０  第二の熱交換器
１１  仕切板
１２  熱交換器室
１３  圧縮機室
１４、１５  圧縮機
１６  電装品箱
１６ａ  蓋体
１６ｂ  取付片
１７、１８  ネジ
１９  ヒートシンク
２０  取付板
２１  電気部品
２２  固定部材
２３  固定面
２４  固定用ネジ孔（取付孔）
２５  折曲面
２６  フランジ
【図１】
2007322046.tif 000003
【図２】
2007322046.tif 000004
【図３】
2007322046.tif 000005
【図４】
2007322046.tif 000006